(57)【要約】  着用者にとって優れたコンフィギュアビリティと快適性をもたらすように設計された、ファッション性のあるハイヒール靴の用途のためのカスタマイズ可能なアーチサポートシステム。より詳細には、本システムは、靴のデザイナーの制限をより少なくする最小の断面プロファイルを維持するとともに、着用者に優れたサポート及び快適性をもたらすような、コンフィギュアビリティを提供する。
2018526174.tif 000002
【特許請求の範囲】
【請求項１】
少なくとも１つのシューインソール、及び
少なくとも１つのアーチサポートインサート
を含み、
前記アーチサポートインサートが、少なくとも１つの締結手段を使用して前記シューインソールに着脱可能に取り付けられている、
靴と一体化したカスタマイズ可能なアーチサポートシステム。
【請求項２】
前記締結手段が、少なくとも１つのスナップからなることを特徴とする、請求項１に記載の靴と一体化したカスタマイズ可能なアーチサポートシステム。
【請求項３】
前記締結手段が、面締結システムからなることを特徴とする、請求項１に記載の靴と一体化したカスタマイズ可能なアーチサポートシステム。
【請求項４】
前記シューインソールに包まれた、少なくとも１つのシャンクをさらに含むことを特徴とする、請求項１に記載の靴と一体化したカスタマイズ可能なアーチサポートシステム。
【請求項５】
前記シャンクが、矩形の金属棒からなることを特徴とする、請求項４に記載の靴と一体化したカスタマイズ可能なアーチサポートシステム。
【請求項６】
前記アーチサポートインサートの上に設置された、少なくとも１つのカバーをさらに含むことを特徴とする、請求項１に記載の靴と一体化したカスタマイズ可能なアーチサポートシステム。
【請求項７】
前記カバーが、皮革シートからなることを特徴とする、請求項６に記載の靴と一体化したカスタマイズ可能なアーチサポートシステム。
【請求項８】
前記カバーが、合成布帛のシートからなることを特徴とする、請求項６に記載の靴と一体化したカスタマイズ可能なアーチサポートシステム。
【請求項９】
着用者のかかとの下に位置する、少なくとも１つのカップ状部分をさらに含むことを特徴とする、請求項１に記載の靴と一体化したカスタマイズ可能なアーチサポートシステム。
【請求項１０】
前記カップ状部分が、ポリマー材料からなることを特徴とする、請求項９に記載の靴と一体化したカスタマイズ可能なアーチサポートシステム。
【請求項１１】
前記カップ状部分が、ゲル材料からなることを特徴とする、請求項９に記載の靴と一体化したカスタマイズ可能なアーチサポートシステム。
【請求項１２】
着用者の足の下に少なくとも１つのクッション手段をさらに含むことを特徴とする、請求項１に記載の靴と一体化したカスタマイズ可能なアーチサポートシステム。
【請求項１３】
前記クッション手段が、ゲル材料からなることを特徴とする、請求項１２に記載の靴と一体化したカスタマイズ可能なアーチサポートシステム。
【請求項１４】
前記クッション手段が、ウレタンフォーム材料からなることを特徴とする、請求項１２に記載の靴と一体化したカスタマイズ可能なアーチサポートシステム。
【請求項１５】
前記クッション手段が、ゲル材料とウレタンフォーム材料との組合せからなることを特徴とする、請求項１２に記載の靴と一体化したカスタマイズ可能なアーチサポートシステム。
【請求項１６】
靴のアーチサポートをカスタマイズする方法であって、
着用者のミッドフットアーチに非常によく一致したアーチサポートインサートを選択する工程、
着用者の靴内に前記アーチサポートインサートを締結する工程、及び
前記アーチサポートインサートの上にカバーを設置する工程
を含む、方法。
【発明の詳細な説明】
【関連出願の相互参照】
【０００１】
本出願は、その内容のすべてが、ここに参照することによって本願に援用され、かつ、この相互参照の項で言及することによって本発明に対する先行技術であるとは認められない、発明の名称を「調節可能なアーチサポートシステム（ADJUSTABLE ARCH SUPPORT SYSTEM）」とする、２０１５年８月２８日出願の先の米国仮特許出願第６２／２１１，６９５号に関連しており、該出願に基づく優先権を主張する。
【技術分野】
【０００２】
本発明は、概して、女性用のデザイナーシューズの用途ためのインソールアーチサポートシステムに関するが、該システムは、男性及び子供用の靴にも使用することができる。より詳細には、本発明は、着用者の独特な足のアーチに最も適した、成形されたアーチサポートインサートを選択することによって、着用者が、アーチサポートを彼ら特有の足のアーチの高さに個人的に合わせることを可能にする、カスタマイズ可能なアーチサポートシステムに関する。
【背景技術】
【０００３】
矯正装置は、典型的には、輪郭付けられたプレート状の構造をしており、足の位置及び機能を補正または制御するように靴に取り付けられている。これらの矯正装置は、一旦、製造されると設計は固定され、ひとたび作製された後は設定変更ができない。足の最も重要な機能は、概ね、かかと及びミッドフット部分に関することから、デバイスがその生体力学的目的を果たすために、これらの領域にはある程度の剛性が必要とされる。したがって、このタイプの多くのデバイスは、足のかかとからミッドフットを通って延在し、時には、概ね、足の母指球として知られる中足骨頭まで延在する、剛性かつ可撓性のプレート又はキャップを有する。よって、それらは、典型的には平底又はほぼ平底の靴においてのみ、有用である。
【０００４】
これらのデバイスの構造は、それによって、デバイスが多くのタイプの靴にとって厚すぎて使用できなくなるという見地から、しばしば問題を引き起こす。特に、内部容積が非常に限られた女性のハイヒール靴の領域では、剛性によって、これらのデバイスは、女性のハイヒール靴の急勾配に輪郭付けられた形状に適合不可能となる。特注の剛性の矯正装置は、ブーツのような細長いシャフト又はスロートを有する靴に取り付ける場合には、問題になることがある。特注の矯正装置を使用する場合のインソールの追加分の厚さによって、履物デザイナーの流線型の薄いファッション性のある外観維持能力が制限されることがある。
【０００５】
さらには、靴の内部容積に適用される追加分の厚さによって、不快感を生じる又は負傷する場合がある。特注のデバイスは、靴に挿入されたときに、着用者の足に快適に適合するには広すぎる又は狭すぎる場合がある。特に、靴のつま革の窮屈さによって神経損傷が生じる可能性があり、着用者を負傷させる場合がある。足のアーチのサポートなしで済ませることにより、母趾外転筋の重度のけいれんを引き起こす可能性があり、これは、隣接する屈筋を延伸し、疼痛及び歩行不能を生じる場合がある。
【０００６】
足のアーチが適切にサポートされない場合、着用者は、痛みを示すまで、過回内（足の姿勢）の因習的な症状のいずれも示さない可能性がある。不快感の原因は、足の内部に隠れている場合があり、誤診及びさらなる負傷の可能性を引き起こしうる。特に懸念されるのは、ハイヒールの靴を使用するに至るまで消散したように思われる負傷をすでに有する着用者であり、負傷を悪化させ、軽減のための治療期間を長引かせてしまう。
【０００７】
おそらくは、設計が固定され設定変更ができない特注の矯正器具が処方されるであろうが、しかしながら、負傷の回復のためのニーズは、絶えず又は大幅に変化する場合があり、着用者による頻繁な変更が必要な場合には、解決するには特注の矯正器具のコストがかかり過ぎる。さらには、妊娠などの状況により、女性の足のサイズ及び形状は日々変化する可能性があり、設計が固定され設定変更ができない特注の矯正器具は、実現困難かつ着用者に対して潜在的に有害になりかねない。
【０００８】
ファッション性のある靴は、狭いつま先を有するように設計される場合がある。適切に寸法合わせされたアーチを用いて体重の負荷が適切に分散されていない場合には、つま先が体の重みによって靴内へと圧迫され、それらの環境に適合するようにつま先に永久変形を生じる可能性がある。
【発明の概要】
【発明が解決しようとする課題】
【０００９】
したがって、最小の厚さを有する矯正用のインソールが必要とされており、さらに、ヒールのある靴の分野においてファッション性を維持しつつ、異なる着用者間の足のアーチの多様性、若しくは、個々の着用者のニーズ変化についての解決策を提供する。
【課題を解決するための手段】
【００１０】
本発明は、靴と一体化されていても別々であってもよく、かつ、アーチサポートインサートをインソールのミッドフットアーチ部分の締結システムに取り外し可能に取り付けるように構成されたインソールを提供することによって、上記問題を克服する。複数のアーチサポートインサートは、着用者が、アーチサポートインサートなしでインソールを使用するか、あるいは、インソールに適切に寸法合わせ及び形状合わせされたアーチサポートインサートを締結するかを選択できるように、利用可能である。現行の付加製造（additive manufacturing）及び３Ｄスキャンの技術によって、手頃な価格の完全にカスタマイズ可能なアーチサポートインサートの提供が可能となる。アーチサポートインサートのカバーは、着用者の裸足からアーチサポートインサートを保護するために提供される。インソール及びアーチサポートは締結手段を備えていることから、アーチサポートインサートは、女性のハイヒール靴を含めたあらゆるタイプの履物の使用中に、インソールのミッドフットアーチ上に正しく位置付けられたまま保持される。取り付けられたインサートに適切にフィットしたインソールは、足の骨及び靭帯に体重を均等に分散させ、脊髄の健康状態が改善されると同時に着用者にバランスをもたらし、したがって、全体的に、体全体にプラスの影響を与える。
【００１１】
カスタマイズ可能なアーチサポートシステムは、取り外し可能に取り付けられるアーチサポートインサートの付加を可能にするように構成された、シューインソールを含む。複数のさまざまに寸法合わせ及び形状合わせされたアーチサポートが、着用者の足の特定のアーチにフィットするように提供される。締結手段を用いて、アーチサポートインサートがシューインソールに取り付けられる。カバーが提供されて、シューインソール及びアーチサポートインサートの上に位置付けられる。アーチサポートインサートは、締結手段、好ましくはスナップ型の締結システムを介して、インソールに着脱可能に取り付けられる。しかしながら、他の締結手段、例えば、面ファスナ、両面粘着テープ、又はその他の締結手段などが用いられてもよい。アーチサポートインサートは、特定の着用者のアーチに適合できるように、低いアーチから高いアーチまでの範囲の、又は個別にカスタマイズされた、複数のアーチ構成に利用可能である。
【００１２】
インソールは、設定変更でき、かつ、女性のファッション性のあるハイヒール靴に見られる急勾配で下方に湾曲したプラットフォームに依然として適用可能に保たれつつ、他のアーチサポートシステムと比較した場合に、薄い。シャンクは、足のかかと及びアーチの下で靴の曲線に適合し、足の母指球からアーチを通って足のかかとまで、着用者の体重を支持及び分散するのに役立つ、構造的完全性を提供する。適切なインサートを選択することにより、このアーチサポートシステムは、足全体に体重を分散させ、それによって中足骨頭、足の母指球及び靴内のヒールカップにかかる圧力を低下させることによって、より大きな身体安定性とバランスを着用者に本質的に提供する、シューインソールをもたらす。
【００１３】
本発明の以下の好ましい実施形態には、インソール、スナップ型の締結システム、アーチサポートインサート及びカバーである、本発明の要素の位置及び構成及び構造について記載されている。インソールは、材料の幾つかの層と、少なくとも１つのメススナップ型の締結具とで構成されており、女性のハイヒール靴に典型的な急勾配で下方に湾曲したアーチの曲率に適合するインソールを構築する。シャンクは、ミッドフット領域の中心線に沿って、ファイバボード及び合成接着剤の第１の層上に位置している。次に、好ましくは可撓性のセルロースボード層が、材料に設置された少なくとも１つのメススナップ型の締結具とともに、合成接着剤層を伴う第１のインソール層の上に設置される。層は、靴の内部に適合するように圧着及び形状化される。次いで、合成接着剤材料の層が可撓性のセルロースボード層上に設置され、メススナップ型の締結具を露出するためのカットアウトによって構成かつ適合された、（一又は複数の）微孔性ウレタンクッション層が、合成接着剤層の上に設置されている。インソール層は、さまざまな衝撃吸収材料で作製されうる。Ｕ字形のゲル又はポリマー材のパッドをインソールのかかと部分に付着させて、足のかかとをカップ状に形成する。ヒールカップは、靴内で上方に延在して、より狭いかかと幅用に、かかとの容積を低減かつカスタマイズされうる。最後に、靴が構築された後、少なくとも１つのスナップ型の締結具を露出させておくために円形のカットアウトを有する、皮革又は合成材料のカバー又は中敷きを、インソール層の上に接着させる。これにより、典型的な女性のファッション性のあるハイヒール靴の狭い領域内に広すぎる空間を占めることなくアーチサポートインサートの取り付けを許容する、クッション性のインソールが作り出される。
【００１４】
インソールにアーチサポートインサートを取り付ける締結手段は、少なくとも１つのメススナップ型の締結具に嵌合する少なくとも１つのオススナップ型の締結具をさらに含む、典型的なスナップ型の締結システムで構成されることが好ましい。あるいは、好ましくは、他のタイプの締結システム、数ある中でも面締結システムなどが、用いられうる。
【００１５】
アーチサポートインサートは、ミッドフットのアーチに適合するように成形された圧縮性のクッション材料と、アーチサポートインサートの底部に永久的に取り付けられた少なくとも１つのオススナップ型の締結具とで構成される。圧縮性のクッション材料は、おそらくは、クッション材料とカバーとの間にゲル又はウレタンフォームの層を有する皮革又は軽量の合成布帛で覆われることが好ましい。あるいは、好ましくは、皮革、又はメッシュ材料を用いて、圧縮性のクッション材料を体の油分及び他の汚染物質から保護することもできる。
【００１６】
アーチサポートインサートは、好ましくは、エチレン−酢酸ビニル（ＥＶＡ）から形成される。あるいは、好ましくは、アーチサポートインサートは、ポリウレタン（ＰＵ）フォーム、シリコーン、ナイロン又はＳａｎｔｏｐｒｅｎｅ銘柄の熱可塑性加硫物（熱可塑性エラストマー）、又は同様の材料から形成されうる。アーチサポートインサートは、さまざまなアーチの高さ及び長さの人間の足のアーチに概ね適合するように成形される。少なくとも１つのオススナップ型の締結具は、インソールに位置する少なくとも１つのメススナップ型の締結具に対応しており、アーチサポートインサートをシューインソールに取り外し可能に取り付ける。
【００１７】
カバーは、アーチサポートインサートを着用者の足から保護するために、アーチサポートインサートを覆う又は包むように構造化かつ配置された、耐久性の材料からなる。カバーの材料は、アーチサポートインサートの上の皮革、帆布又は他の耐久性の材料と、アーチサポートインサートの周りを包み込み、カバーを適所に保持する可撓性の布帛、皮革、又はメッシュタイプの材料とで構成されうる。あるいは、カバーは、適合する少なくとも１つのメススナップ型の締結具に対応するように配置された少なくとも１つのオススナップ型の締結具を有する、複数の耐久性の材料片であってもよい。アーチサポートインサートは、裏面にカバーを有しない耐久性の材料の上層で覆われてもよく、あるいは、好ましくはカバーの周囲が縫われている、耐久性の材料の２つの層間に挟まれてもよい。
【００１８】
アーチサポートインサートは、着用者のミッドフットアーチのサイズに適合するように、多くのさまざまなサイズで利用可能である。利用可能な多くのさまざまなサイズの中でもとりわけ、インサートは、低いアーチ、中程度のアーチ、高いアーチを支持するように、あるいは、着用者の特定の足にカスタマイズできるように、機能する。着用者は、彼らの個々の足に最適にフィットするアーチサポートインサートのサイズを単純に選択し、アーチサポートインサートの周りにカバーを設置し、覆われたアーチサポートインサートをシューインソールに締結する。あるいは、着用者は、カバーがすでに取り付けられた適切なアーチサポートインサートを選択し、それをシューインソールに締結する。
【００１９】
代替的な実施形態では、インソールはさらに、シューインソール内のさらなる緩衝用に、足の母指球及びヒールカップの領域に配置された、追加的なゲルインサート又は同様のタイプのクッション材料で構成される。女性のハイヒールの靴の性質に起因して、かかとからつま先にかけての靴の急勾配のアーチ状の下方への湾曲のせいで、足の母指球には、より大きい圧力がかかる。このことにより、靴内における足の母指球及びかかとの緊密な接触を理由として、足の母指球に大きな圧力の負担が生じる。アーチサポートインサートと併せて、足の母指球及びヒールカップの領域にゲルインサートを提供することにより、ハイヒールの靴を着用しつつ、これらの領域に印加される圧力を低下させ、このような印加される圧力をゲルインサートによって分散する。
【００２０】
カスタマイズ可能なアーチサポートをファッション性のある女性のハイヒール靴に提供する方法は、ミッドフット領域における着用者の特定のアーチに基づいてアーチサポートインサートを選択する工程、及び、スナップ型の締結システムを使用して、インソールにアーチサポートインサートを取り付ける工程を含む。
【００２１】
本発明の特定の目的及び特徴、並びに利点は、添付の図面に関連する以下の説明から明白になるであろう。
【図面の簡単な説明】
【００２２】
【図１】カスタマイズ可能なアーチサポートシステムのシューインソールの上面図
【図２】カスタマイズ可能なアーチサポートシステムのインソールに取り付けられたメススナップ型の締結具を露出するカバー又は中敷の上面図
【図３Ａ】カスタマイズ可能なアーチサポートシステムのアーチサポートインサートの上面図
【図３Ｂ】カスタマイズ可能なアーチサポートシステムのアーチサポートインサートの底面図
【図３Ｃ】カスタマイズ可能なアーチサポートシステムのアーチサポートインサートの側面図
【図３Ｄ】カスタマイズ可能なアーチサポートシステムのアーチサポートインサートの代替的な側面図
【図４】シューインソールに締結されたアーチサポートインサートのカスタマイズ可能なアーチサポートインサートシステムの上面図
【図５】カスタマイズ可能なアーチサポートシステムの断面図
【発明を実施するための形態】
【００２３】
本発明の前述及び他の目的、特徴、及び利点は、添付の図面と併せて本発明の以下の説明を考慮すると、より容易に理解されよう。
【００２４】
これより図面を参照すると、図１は、アーチサポートインサートが取り付けられていない、カスタマイズ可能なアーチサポートシステムのシューインソール１００の１つの好ましい実施形態の上面図を示しており、ここで、シューインソール１００は、該シューインソール１００に包まれた、少なくとも１つのシャンク１０８を含む。該シャンク１０８は、好ましくは、カスタマイズ可能なアーチサポートシステムのシューインソール１００の層間に埋め込まれ、挟まれるように、構成及び配置される。好ましくは、シャンク１０８は、鋼鉄などの金属材料で構成される。あるいは、好ましくは、シャンク１０８は、アルミニウムで構築されてもよい。あるいは、好ましくは、シャンク１０８は、カーボンファイバーで構築されてもよい。あるいは、好ましくは、シャンク１０８は、強化ガラス繊維で構築されてもよい。あるいは、好ましくは、シャンク１０８は、射出成形プラスチックで構築されてもよい。シャンクについての代替的な材料選択は、当業者にとって自明であろう。
【００２５】
シューインソール１００は、クッション材料のエッジにおいて、面取りされた発泡体及び接着剤１０４で上面に固定されており、かつ、靴の着用時に着用者の足の母指球の下に位置するように位置付けられ、構成された、クッション材料１０２を有することが好ましい。あるいは、好ましくは、クッション材料１０２は、カスタマイズ可能なアーチサポートシステムのシューインソール１００を構成する層間にクッション材料１０２を挟むことによって、カスタマイズ可能なアーチサポートシステムと一体化されていてもよい。代替的なクッション材料は、当業者にとって自明であろう。
【００２６】
図１にさらに示されるように、カスタマイズ可能なアーチサポートシステムのシューインソール１００は、好ましくは取り付け手段をさらに含み、好ましくは、着用者の足のアーチ領域の下に位置するように構成かつ配置されたスナップ締結具１０６のメスハーフをさらに含む。あるいは、好ましくは、取り付け手段は、スナップ締結具のオスハーフでありうる。あるいは、好ましくは、取り付け手段は、ベルクロ（登録商標）などの面締結システムのループハーフであってもよい。あるいは、好ましくは、取り付け手段は、ベルクロ（登録商標）などの面締結システムのフックハーフであってもよい。代替的な取り付け手段は、当業者にとって自明であろう。
【００２７】
図１をさらに参照すると、カスタマイズ可能なアーチサポートシステムのシューインソール１００は、好ましくは、着用者のかかとの下に位置する、少なくとも１つのカップ状部分１１０をさらに含む。この好ましい実施形態では、該カップ状部分１１０は、クッション性のプラスチック又はポリマー材料からなる。この好ましい実施形態において、該カスタマイズ可能なアーチサポートシステムは、着用者の足の母指球の下に少なくとも１つのクッション手段１０２をさらに含む。この好ましい実施形態において、該クッション手段１０２は、ゲル材料からなる。カップ状部分１１０は、好ましくは、上部領域と輪郭セクション１１２とを有するカップ状のヒールセグメントを含み、上部領域と着用者のかかとの下に位置する上面との間を移行する。好ましくは、カップ状部分１１０は、ゲル又はウレタンフォームを使用して構築される。あるいは、好ましくは、カップ状部分１１０は、射出成形されたプラスチック材料を使用して構築される。カップ状部分１１０についての代替的な材料選択は、当業者にとって自明であろう。
【００２８】
図２に示されるように、カスタマイズ可能なアーチサポートシステムのシューインソール２００は、スナップ締結具のメスハーフを露出するようにカットされているが、アーチサポートインサートは取り付けられていない、中敷カバーを含む。この好ましい実施形態において、スナップ締結具２０６のメスハーフの下面は、それらが着用者の足のアーチ領域の下に位置し、さらには、カスタマイズ可能なアーチサポートシステムのシューインソール２００の上面から下面まで延在するように構成かつ配置される。あるいは、好ましくは、アーチサポートインサートはまた、該アーチサポートインサートをカバーする中敷とともに、インソールに直接、取り付けられてもよい。
【００２９】
図２にさらに示されるように、形状化かつ輪郭化されたエッジ部分２１４は、カスタマイズ可能なアーチサポートシステムのシューインソール２００が着用者の靴内で容易にスライド又は移動しないように、カスタマイズ可能なアーチサポートシステムのシューインソール２００が、低い公差で着用者の靴内にぴったりとした嵌合を有することができるように、構成かつ配置される。
【００３０】
図３Ａ〜図３Ｄには、カスタマイズ可能なアーチサポートシステムのシューインソール１００に取り付けられる、アーチサポートインサート３５２の４つの異なる図面が示されている。アーチサポートインサート３５２は、好ましくは、着用者の足のアーチに適合するように形作られた、上面３５４を有する。アーチサポートインサート３５２の上面３５４の好ましい曲線は、図３Ｃ及び図３Ｄのように、両側からより明確に観察することができる。アーチサポートインサート３５２の下面３５６は、好ましくは、着用者の靴の内部形状及びカスタマイズ可能なアーチサポートシステムのシューインソール１００の上面に適合するように形作られる。
【００３１】
アーチサポートインサート３５２の下面３５６に、それらをカスタマイズ可能なアーチサポートシステムのシューインソール１００の上面のスナップ締結具１０６のメスハーフに着脱可能に取り付けることができるように構成かつ配置されたスナップ締結具３５８のオスハーフが図３Ｂに示されている。
【００３２】
図４に示されるように、カスタマイズ可能なアーチサポートシステムは、少なくとも１つのシューインソール４００と、アーチサポートインサート４５２とを含み、該アーチサポートインサート４５２は、少なくとも１つの締結手段を使用してシューインソール４００に着脱可能に取り付けられる。この好ましい実施形態では、締結手段は、好ましくは、少なくとも１つの接続されたスナップ４６０からなる。図４に示される接続されたスナップ４６０は、図３Ｂに示されるスナップ締結具３５８のオスハーフと図１に示されるスナップ締結具１０６のメスハーフである、締結された一対のスナップからなる。図４は、シューインソール４００の下面に構成及び配置された、形状化かつ輪郭化されたエッジ部分４１４をさらに示している。あるいは、好ましくは、締結手段は、面締結システムからなる。
【００３３】
図５に示されるように、カスタマイズ可能なアーチサポートシステムは、アーチサポートインサート５５２の上に設置された、少なくとも１つのカバー５７０をさらに含む。あるいは、好ましくは、カバー５７０がアーチサポートインサート５５２を包み込む。この好ましい実施形態において、カバー５７０は、好ましくは、皮革シートからなる。あるいは、好ましくは、カバー５７０は、軽量の合成材料のシートでできていてもよい。カバー５７０についての代替材料の選択は、当業者にとって自明であろう。
【００３４】
さらに図５に示されるように、下層は、シャンク５０８、カップ状のヒール部分５１０、及びクッション部分５０２をさらに含む、シューインソール５００からなる。アーチサポートインサート５５２は、締結手段によってシューインソール５００に着脱可能に取り付けられる。アーチサポートインサート５５２にシューインソール５００を取り外し可能に取り付けるために用いられる締結手段は、好ましくは、スナップ機構５６０からなる。アーチサポートインサート５５２は、好ましくは、２つの結合した層、すなわち、高密度かつ低圧縮率を有する圧縮性材料でできている下層５７６と、低密度かつ高圧縮率を有する圧縮性材料でできている上層５７４とからなる。あるいは、好ましくは、アーチサポートインサート５５２は、一層の圧縮性材料でできていてもよい。あるいは、好ましくは、アーチサポートインサート５５２は、着用者のミッドフットアーチに正確に適合するようにアーチサポートインサート５５２をカスタマイズするために、付加製造及び３Ｄスキャンの技術を使用して作製されてもよい。
【００３５】
他の好ましい実施形態では、アーチサポートインサート５５２の上層及び下層の圧縮性が逆転し、上層５７４が下層５７６よりも圧縮性が低くなっていてもよい。別の好ましい実施形態では、アーチサポートインサート５５２は、ウレタンフォームでできている上層５７４と、ポリマー材料でできている下層５７６とを有していてもよい。別の好ましい実施形態では、シューインソール５００は、ファイバボードでできていてもよい。別の好ましい実施形態では、シューインソール５００は、衝撃吸収材料の組合せを使用して、一般に３Ｄプリントと称される、付加製造法を使用して構築されてもよい。別の好ましい実施形態では、スナップ機構５６０は、合成テープを使用して、アーチサポートインサート５５２に固定されてもよい。カスタマイズ可能なアーチサポートインソールシステムの構成要素の代替的な材料選択は、当業者にとって自明であろう。
【００３６】
さらには、本発明は、好ましくは、着用者のミッドフットアーチ３５２に非常によく適合するアーチサポートインサートを選択する工程、着用者の靴内にアーチサポートインサートを締結する工程、及びアーチサポートインサートの上にカバー５７０を設置する工程を含む、ヒールのある靴においてアーチサポートをカスタマイズする方法に関する。あるいは、好ましくは、アーチサポートインサートは、着用者の靴内にアーチサポートインサートを締結する前に、カバーの内側に位置付けられる。
【符号の説明】
【００３７】
１００，２００，４００，５００  シューインソール
１０２  クッション手段
１０４  接着剤
１０６，２０６  スナップ締結具
１０８，  ５０８  シャンク
１１０  カップ状部分
１１２  輪郭セクション
２１４，  ４１４  エッジ部分
３５２，４５２，５５２  アーチサポートインサート
３５４  上面
３５６  下面
３５８  スナップ締結具
４６０  接続されたスナップ
５０２  クッション部分
５１０  カップ状のヒール部分
５６０  スナップ機構
５７０  カバー
５７４  上層
５７６  下層
【図１】
2018526174.tif 000003
【図２】
2018526174.tif 000004
【図３Ａ】
2018526174.tif 000005
【図３Ｂ】
2018526174.tif 000006
【図３Ｃ】
2018526174.tif 000007
【図３Ｄ】
2018526174.tif 000008
【図４】
2018526174.tif 000009
【図５】
2018526174.tif 000010
【国際調査報告】
2018526174.tif 000011
2018526174.tif 000012